(57)【要約】【課題】重量のある化粧板を梱包した状態で落としても、角部をはじめとする化粧板の損傷を防止することができる化粧板用梱包材を提供すること。【解決手段】建築用内外装材として使用される四角形状の化粧板２を梱包する化粧板用梱包材１において、化粧板２を巻回するように包む段ボールからなる梱包材本体３の化粧板２の角部相当位置に、化粧板２の角部の外縁に当接する鉤形の平板状段ボールからなる角支持部材４を配設するようにする。【選択図】　図１
2004059040.tif 000002
【特許請求の範囲】
【請求項１】
建築用内外装材として使用される四角形状の化粧板を梱包する化粧板用梱包材において、化粧板を巻回するように包む段ボールからなる梱包材本体の化粧板の角部相当位置に、化粧板の角部の外縁に当接する鉤形の平板状段ボールからなる角支持部材を配設してなることを特徴とする化粧板用梱包材。
【請求項２】
角支持部材の中芯の波の方向と、梱包材本体の中芯の波の方向とが略直交するようにしたことを特徴とする請求項１記載の化粧板用梱包材。
【請求項３】
角支持部材の中芯の波の方向を、化粧板の周縁とそれぞれ略直交するようにしたことを特徴とする請求項１記載の化粧板用梱包材。
【請求項４】
角支持部材を化粧板の幅方向で連続して一体に形成したことを特徴とする請求項１、２又は３記載の化粧板用梱包材。
【発明の詳細な説明】
【０００１】
【発明の属する技術分野】
本発明は、化粧板用梱包材に関し、特に、角支持部材に十分な幅と強度をもたせて化粧板を梱包することにより、重量のある化粧板を梱包した状態で落としても、角部をはじめとする化粧板の損傷を防止することができる化粧板用梱包材に関するものである。
【０００２】
【従来の技術】
化粧板は、建築用内外装材として使用されており、例えば、近年では、無機質骨材及び熱硬化性樹脂を含浸若しくは塗布したガラス不織布よりなる芯材シートを複数枚積層してなる芯材層の表面に、メラミン樹脂を含浸させた化粧紙からなる表面化粧層を積層した化粧板が実用化されている。
【０００３】
このような化粧板を梱包する梱包材としては、従来、化粧板を巻回するように収納する段ボールケースか、あるいは、化粧板を収納するように包む箱状の段ボールケースが一般によく知られている。
【０００４】
【発明が解決しようとする課題】
ところで、上記従来の化粧板用梱包材は、梱包材を構成する段ボールの中芯の波が一方向であるため、重量のある化粧板を梱包した状態で落とすと、段ボールケースがへこみ、化粧板の特に角部が欠けたり、割れたりするという問題がある。
また、段ボールケースの角部に三角形のコーナ材を配設したり、発泡樹脂製の緩衝材を配設することも行われているが、補強強度が不十分であったり、発泡樹脂材という別素材を使用した場合には、分離して廃棄するのに手間がかかるという問題点があり、同じ素材の段ボールで十分な補強強度を有するものが要望されていた。
【０００５】
本発明は、上記従来の化粧板用梱包材が有する問題点に鑑み、重量のある化粧板を梱包した状態で落としても、角部をはじめとする化粧板の損傷を防止することができる化粧板用梱包材を提供することを目的とする。
【０００６】
【課題を解決するための手段】
上記目的を達成するため、本発明の化粧板用梱包材は、建築用内外装材として使用される四角形状の化粧板を梱包する化粧板用梱包材において、化粧板を巻回するように包む段ボールからなる梱包材本体の化粧板の角部相当位置に、化粧板の角部の外縁に当接する鉤形の平板状段ボールからなる角支持部材を配設してなることを特徴とする。
【０００７】
この化粧板用梱包材は、化粧板を巻回するように包む段ボールからなる梱包材本体の化粧板の角部相当位置に、化粧板の角部の外縁に当接する鉤形の平板状段ボールからなる角支持部材を配設するようにしているので、角支持部材に十分な幅と強度をもたせて化粧板を梱包することができ、これにより、重量のある化粧板を梱包した状態で落としても、角部をはじめとする化粧板の損傷を防止することができる。
【０００８】
この場合において、角支持部材の中芯の波の方向と、梱包材本体の中芯の波の方向とが略直交するようにすることができる。
【０００９】
これにより、波の交差方向の力に弱い中芯を補強し、化粧板用梱包材の強度を向上させ、化粧板の損傷をさらに確実に防止することができる。
【００１０】
また、角支持部材の中芯の波の方向を、化粧板の周縁とそれぞれ略直交するようにすることができる。
【００１１】
これにより、角支持部材の中芯の力の強い方向と、外力が加わりやすい方向とが一致し、化粧板用梱包材の強度を向上させ、化粧板の損傷をさらに確実に防止することができる。
【００１２】
また、角支持部材を化粧板の幅方向で連続して一体に形成することができる。
【００１３】
これにより、化粧板用梱包材の強度を向上させ、化粧板の損傷をさらに確実に防止するとともに、化粧板を梱包するときの位置決め作業を容易にすることができる。
【００１４】
【発明の実施の形態】
以下、本発明の化粧板用梱包材の実施の形態を図面に基づいて説明する。
【００１５】
図１〜図２に、本発明の化粧板用梱包材の第１実施例を示す。
この化粧板用梱包材１は、建築用内外装材として使用される四角形状の化粧板２を梱包するもので、化粧板２を巻回するように包む段ボールからなる梱包材本体３の化粧板２の角部相当位置に、化粧板２の角部の外縁に当接する鉤形の平板状段ボールからなる角支持部材４を配設するようにしている。
【００１６】
梱包材本体３は、化粧板２より所要長い縦の長さと、化粧板２の周囲を巻回することができる横の長さを備え、角支持部材４が固定された背シート部３１と、該背シート部３１の側部から連続して、前方に折り曲げることにより化粧板２の前面を覆う１対の前シート部３２とを備えている。
また、この梱包材本体３は、約５ｍｍの厚さを有し、本実施例では、中芯の波のピッチは約９ｍｍとなっている。
【００１７】
角支持部材４は、化粧板２の幅方向で連続して一体に形成されており、これにより、化粧板用梱包材１の強度を向上させ、化粧板２の損傷をさらに確実に防止するとともに、化粧板２を梱包するときの位置決め作業を容易にしている。
また、この角支持部材４は、角支持部材４の中芯の波５の方向と、梱包材本体３の中芯の波６の方向とが略直交するように、梱包材本体３に固定されており、これにより、波の交差方向の力に弱い中芯を相互に補強しあい、化粧板用梱包材１の強度を向上させ、化粧板２の損傷を確実に防止している。
角支持部材４の寸法は、特に限定するものではないが、例えば、９００×１８００ｍｍの化粧板２に対し、幅が約４０ｍｍ、縦の長さが約２６０ｍｍ、厚みが約３ｍｍ、中芯の波のピッチが約６ｍｍとされている。
この場合、角支持部材４の寸法、特に、幅寸法は、１０ｍｍ程度から５０ｍｍ程度の任意の寸法に設定することができる。
なお、図示は省略するが、角支持部材４の中芯の波の方向と、梱包材本体３の中芯の波の方向とが同じとなるように、角支持部材４を梱包材本体３に固定することも可能である。
【００１８】
また、角支持部材４は、図３に示すように、梱包材本体３の化粧板２の角部相当位置に、それぞれ独立して配設することも可能である。
この場合、角支持部材４は、鉤形に形成された平板状の段ボールからなり、化粧板２の角部の外縁に当接することにより、梱包材本体３内で化粧板２を保持することができる。
また、この角支持部材４は、角支持部材４の中芯の波５の方向と、梱包材本体３の中芯の波６の方向とが略直交するように、梱包材本体３に固定されており、これにより、波の交差方向の力に弱い中芯を相互に補強しあい、化粧板用梱包材１の強度を向上させ、化粧板２の損傷を確実に防止している。
なお、図は省略するが、角支持部材４の中芯の波の方向と、梱包材本体３の中芯の波の方向とが同じとなるように、角支持部材４を梱包材本体３に固定することも可能である。
【００１９】
なお、上記各実施例においては、角支持部材４の中芯の波５の方向と、梱包材本体３の中芯の波６の方向とが略直交するように角支持部材４を配設するようにしたが、これに限定されず、例えば、両者が略平行するように角支持部材４を配設するようにしても、後述のとおり、一定の効果を奏するものとなる。
【００２０】
また、角支持部材４は、図４に示すように、角支持部材４の中芯の波の方向を、化粧板２の周縁とそれぞれ略直交することも可能である。
この場合、角支持部材４は、化粧板２の上縁又は下縁に当接する端支持部材４１と、化粧板２の側縁に当接し、かつ梱包材本体３の端部まで延設された側支持部材４２とにより構成し、端支持部材４１の中芯の波７の方向を縦方向にするとともに、側支持部材４２の中芯の波８の方向を横方向にする。
【００２１】
また、角支持部材４は、図５に示すように、梱包材本体３の化粧板２の角部相当位置に、それぞれ独立して配設することも可能である。
【００２２】
このように、角支持部材４の中芯の波の方向を、化粧板２の周縁とそれぞれ略直交することにより、角支持部材４の中芯の力の強い方向と、外力が加わりやすい方向とが一致し、化粧板用梱包材１の強度を向上させ、化粧板の損傷をさらに確実に防止することができる。
また、梱包材本体３の中芯の波の方向を、側支持部材４２の中芯の波８の方向と同じく、化粧板２の側縁に略直交する横方向にすることにより、化粧板２の運搬時に最も多く衝撃を受けるおそれのある側縁角部を補強するようにしている。なお、端支持部材４１の中芯の波７の方向を横方向にするとともに、側支持部材４２の中芯の波８の方向を縦方向にすることもできる。
【００２３】
上記各実施例の化粧板用梱包材１と従来の化粧板用梱包材とで化粧板２を梱包し、落下試験を行った。
落下試験は、梱包状態の化粧板２のの側縁角部が地面に落下するようにした。この場合、化粧板２のサイズは前記したとおりであり、１枚当たりの重量は１２．５キログラムである。
１枚の化粧板２を単独で梱包した場合と、２枚の化粧板２を重ねて梱包した場合の試験結果を、表１に示す。
【００２４】
【表１】
2004059040.tif 000003
【００２５】
表１の試験結果から明らかなように、本実施例の化粧板用梱包材１は、化粧板２を巻回するように包む段ボールからなる梱包材本体３の化粧板２の角部相当位置に、化粧板２の角部の外縁に当接する鉤形の平板状段ボールからなる角支持部材４を配設することにより、角支持部材４に十分な幅と強度をもたせて化粧板２を梱包することができ、これにより、重量のある化粧板２を梱包した状態で落としても、角部をはじめとする化粧板２の損傷を防止することができることを確認した。
そして、特に、角支持部材４の側支持部材４２の中芯の波８の方向を、化粧板２の側縁に略直交するようにしたものは、すべての試験において、損傷を受けることがなかった。
【００２６】
以上、本発明の実施例を説明したが、本発明の化粧板用梱包材は上記実施例に記載した構成に限定されるものではなく、その趣旨を逸脱しない範囲において適宜その構成を変更することが可能である。
【００２７】
【発明の効果】
本発明の化粧板用梱包材によれば、化粧板を巻回するように包む段ボールからなる梱包材本体の化粧板の角部相当位置に、化粧板の角部の外縁に当接する鉤形の平板状段ボールからなる角支持部材を配設するようにしているので、角支持部材に十分な幅と強度をもたせて化粧板を梱包することができ、これにより、重量のある化粧板を梱包した状態で落としても、角部をはじめとする化粧板の損傷を防止することができ、不良品の発生を防止することができる。
【００２８】
また、角支持部材の中芯の波の方向と、梱包材本体の中芯の波の方向とが略直交することにより、波の交差方向の力に弱い中芯を補強し、化粧板用梱包材の強度を向上させ、化粧板の損傷をさらに確実に防止することができる。
【００２９】
また、角支持部材の中芯の波の方向を、化粧板の周縁とそれぞれ略直交することにより、角支持部材の中芯の力の強い方向と、外力が加わりやすい方向とが一致し、化粧板用梱包材の強度を向上させ、化粧板の損傷をさらに確実に防止することができる。
【００３０】
さらに、角支持部材を化粧板の幅方向で連続して一体に形成することにより、化粧板用梱包材の強度を向上させ、化粧板の損傷をさらに確実に防止するとともに、化粧板を梱包するときの位置決め作業を容易にすることができる。
【図面の簡単な説明】
【図１】本発明の化粧板用梱包材の第１実施例を示す正面図である。
【図２】同実施例の化粧板用梱包材に化粧板を入れた状態を示す正面図である。
【図３】本発明の化粧板用梱包材の第２実施例を示す正面図である。
【図４】本発明の化粧板用梱包材の第３実施例を示す正面図である。
【図５】本発明の化粧板用梱包材の第４実施例を示す正面図である。
【符号の説明】
１　　化粧板用梱包材
２　　化粧板
３　　梱包材本体
３１　背シート部
３２　前シート部
４　　角支持部材
４１　端支持部材
４２　側支持部材
５　　角支持部材の中芯の波
６　　梱包材本体の中芯の波
７　　端支持部材の中芯の波
８　　側支持部材の中芯の波
【図１】
2004059040.tif 000004
【図２】
2004059040.tif 000005
【図３】
2004059040.tif 000006
【図４】
2004059040.tif 000007
【図５】
2004059040.tif 000008